【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、正の屈折力の第４レンズ群より構成され、広角端から望遠端へのズーミングに際して各レンズ群が移動し、隣り合うレンズ群の間隔が変化するズームレンズにおいて、
前記第１レンズ群は３枚以下のレンズより構成され、前記第２レンズ群は４枚以下のレンズより構成され、前記第３レンズ群は４枚以下のレンズより構成され、前記第４レンズ群は２枚以下のレンズより構成され、
広角端における前記第３レンズ群の横倍率をβ３ｗ、望遠端における前記第３レンズ群の横倍率をβ３ｔ、前記第３レンズ群の焦点距離をｆ３、望遠端における全系の焦点距離をｆｔとするとき、
２．６５＜β３ｔ／β３ｗ＜１０．００
０．０５＜ｆ３／ｆｔ＜０．１４
なる条件式を満足することを特徴とするズームレンズ。
【請求項２】
前記第３レンズ群は、負レンズを有し、該負レンズの焦点距離をｆ３ｎとするとき、
０．２０＜｜ｆ３ｎ｜／ｆ３＜０．５５
なる条件式を満足することを特徴とする請求項１に記載のズームレンズ。
【請求項３】
前記第３レンズ群は、負レンズを有し、該負レンズの材料の屈折率をＮ３ｎとするとき、
１．８５０＜Ｎ３ｎ＜２．５００
なる条件式を満足することを特徴とする請求項１又は２に記載のズームレンズ。
【請求項４】
前記第３レンズ群は、２枚以上の正レンズを有し、前記第３レンズ群に含まれる正レンズの焦点距離の平均値をｆ３ｐａｖｅとするとき、
０．５０＜ｆ３ｐａｖｅ／ｆ３＜１．５５
なる条件式を満足することを特徴とする請求項１乃至３のいずれか１項に記載のズームレンズ。
【請求項５】
前記第３レンズ群は、２枚以上の正レンズを有し、前記第３レンズ群に含まれる正レンズの材料の屈折率の平均値をＮ３ｐａｖｅとするとき、
１．６９０＜Ｎ３ｐａｖｅ＜２．５００
なる条件式を満足することを特徴とする請求項１乃至４のいずれか１項に記載のズームレンズ。
【請求項６】
前記第１レンズ群の焦点距離をｆ１とするとき、
０．３０＜ｆ１／ｆｔ＜０．５０
なる条件式を満足することを特徴とする請求項１乃至５のいずれか１項に記載のズームレンズ。
【請求項７】
前記第２レンズ群の焦点距離をｆ２、広角端における全系の焦点距離をｆｗとするとき、
０．５０＜｜ｆ２｜／ｆｗ＜１．３５
なる条件式を満足することを特徴とする請求項１乃至６のいずれか１項に記載のズームレンズ。
【請求項８】
前記４レンズ群の焦点距離をｆ４、広角端における全系の焦点距離をｆｗとするとき、３．０＜ｆ４／ｆｗ＜５．０
なる条件式を満足することを特徴とする請求項１乃至７のいずれか１項に記載のズームレンズ。
【請求項９】
広角端から望遠端へのズーミングに際し、前記第１レンズ群は像側へ凸状の軌跡で移動し、前記第２レンズ群は像側へ移動し、前記第３レンズ群は物体側へ移動し、前記第４レンズ群は物体側に凸状の軌跡で移動することを特徴とする請求項１乃至８のいずれか１項に記載のズームレンズ。
【請求項１０】
広角端から望遠端へのズーミングに際し、前記第１レンズ群は像側へ凸状の軌跡で移動し、前記第２レンズ群は物体側へ移動し、前記第３レンズ群は物体側へ移動し、前記第４レンズ群は物体側に凸状の軌跡で移動することを特徴とする請求項１乃至８のいずれか１項に記載のズームレンズ。
【請求項１１】
前記第３レンズ群は、物体側から像側へ順に配置された、正レンズ、正レンズと負レンズを接合した接合レンズより構成されることを特徴とする請求項１乃至１０のいずれか１項に記載のズームレンズ。
【請求項１２】
前記第３レンズ群は、物体側から像側へ順に配置された、正レンズ、正レンズと負レンズを接合した接合レンズ、正レンズより構成されることを特徴とする請求項１乃至１０のいずれか１項に記載のズームレンズ。
【請求項１３】
前記第２レンズ群は、物体側より像側へ順に配置された、負レンズ、負レンズ、正レンズより構成されることを特徴とする請求項１乃至１２のいずれか１項に記載のズームレンズ。
【請求項１４】
前記第２レンズ群は、物体側より像側へ順に配置された、負レンズ、負レンズ、負レンズ、正レンズより構成されることを特徴とする請求項１乃至１２のいずれか１項に記載のズームレンズ。
【請求項１５】
前記第４レンズ群は、正レンズと負レンズを接合した接合レンズより構成されることを特徴とする請求項１乃至１４のいずれか１項に記載のズームレンズ。
【請求項１６】
前記第１レンズ群は、物体側から像側へ順に配置された、負レンズと正レンズを接合した接合レンズ、正レンズより構成されることを特徴とする請求項１乃至１５のいずれか１項に記載のズームレンズ。
【請求項１７】
請求項１乃至１６のいずれか１項に記載のズームレンズと、該ズームレンズによって受光される像を受光する撮像素子とを有していることを特徴とする撮像装置。
【手続補正２】
【補正対象書類名】明細書
【補正対象項目名】００１１
【補正方法】変更
【補正の内容】
【００１１】
本発明のズームレンズは、物体側より像側へ順に配置された、正の屈折力の第１レンズ群、負の屈折力の第２レンズ群、正の屈折力の第３レンズ群、正の屈折力の第４レンズ群より構成され、広角端から望遠端へのズーミングに際して各レンズ群が移動し、隣り合うレンズ群の間隔が変化するズームレンズにおいて、
前記第１レンズ群は３枚以下のレンズより構成され、前記第２レンズ群は４枚以下のレンズより構成され、前記第３レンズ群は４枚以下のレンズより構成され、前記第４レンズ群は２枚以下のレンズより構成され、
広角端における前記第３レンズ群の横倍率をβ３ｗ、望遠端における前記第３レンズ群の横倍率をβ３ｔ、前記第３レンズ群の焦点距離をｆ３、望遠端における全系の焦点距離をｆｔとするとき、
２．６５＜β３ｔ／β３ｗ＜１０．００
０．０５＜ｆ３／ｆｔ＜０．１４
なる条件式を満足することを特徴としている。
【手続補正３】
【補正対象書類名】明細書
【補正対象項目名】００１４
【補正方法】変更
【補正の内容】
【００１４】
以下に本発明の好ましい実施形態を添付の図面に基いて詳細に説明する。本発明のズームレンズは、物体側より像側へ順に配置された、正の屈折力の第１レンズ群、負の屈折力の第２レンズ群、正の屈折力の第３レンズ群、正の屈折力の第４レンズ群より構成されている。広角端から望遠端へのズーミングに際して、各レンズ群が移動し、隣り合うレンズ群の間隔が変化する。第１レンズ群は３以下のレンズより構成され、第２レンズ群は３以下のレンズより構成され、第３レンズ群が４以下のレンズより構成され、第４レンズ群は２以下のレンズより構成されている。
【手続補正４】
【補正対象書類名】明細書
【補正対象項目名】００３３
【補正方法】変更
【補正の内容】
【００３３】
本発明のズームレンズにおいて、更に好ましくは次の条件式のうち１以上を満足するのが良い。第３レンズ群Ｌ３は、負レンズを有し、負レンズの焦点距離（負レンズが他のレンズと接合されているときは分離し空気中に配置したときの焦点距離）をｆ３ｎとする。第３レンズ群Ｌ３は、負レンズを有し、負レンズの材料の屈折率をＮ３ｎとする。第３レンズ群Ｌ３は、２枚以上の正レンズを有し、第３レンズ群Ｌ３に含まれる正レンズの焦点距離の平均値をｆ３ｐａｖｅとする。第３レンズ群Ｌ３は、２枚以上の正レンズを有し、第３レンズ群Ｌ３に含まれる正レンズの材料の屈折率の平均値をＮ３ｐａｖｅとする。
【手続補正５】
【補正対象書類名】明細書
【補正対象項目名】００５２
【補正方法】変更
【補正の内容】
【００５２】
以下、各実施例のレンズ群の構成について説明する。第１レンズ群Ｌ１は、物体側より像側へ順に配置された、負レンズ１１と正レンズ１２を接合した接合レンズ１４、物体側に凸面を向けたメニスカス形状の正レンズ１３で構成している。このように構成することで、第１レンズ群Ｌ１の正の屈折力を接合レンズ１４と正レンズ１３とで分担し、第１レンズ群Ｌ１で発生する諸収差、特に望遠側における球面収差の発生を低減している。
【手続補正６】
【補正対象書類名】明細書
【補正対象項目名】００５３
【補正方法】変更
【補正の内容】
【００５３】
実施例１から５において、第２レンズ群Ｌ２は物体側より像側へ順に配置された、屈折力の絶対値が物体側に比べ像側に強い凹面を像側に向けた負レンズ２１、両凹形状の負レンズ２２、物体側に凸面を向けた正レンズ２３で構成している。このように構成することで、第２レンズ群Ｌ２の負の屈折力を２つの負レンズで分担し、第２レンズ群Ｌ２で発生する諸収差、特に、広角側における像面湾曲、望遠側における球面収差を良好に補正している。
【手続補正７】
【補正対象書類名】明細書
【補正対象項目名】００５４
【補正方法】変更
【補正の内容】
【００５４】
実施例６において、第２レンズ群Ｌ２は物体側より像側へ順に配置された、負レンズ２１、負レンズ２２、負レンズ２３、正レンズ２４から構成される。このように構成することで、第２レンズ群Ｌ２の負の屈折力を３つの負レンズで分担し、第２レンズ群Ｌ２で発生する諸収差、特に、広角側における像面湾曲、望遠側における球面収差を良好に補正している。実施例１，２，６において第３レンズ群Ｌ３は、物体側より像側へ順に、物体側に凸面を向けた正レンズ３１、物体側に凸面を向けた正レンズ３２と像側に凹面を向けた負レンズ３３を接合した接合レンズ３４で構成している。
【手続補正８】
【補正対象書類名】明細書
【補正対象項目名】００５５
【補正方法】変更
【補正の内容】
【００５５】
また、実施例３乃至５において第３レンズ群Ｌ３は、物体側より像側へ順に配置された、物体側に凸面を向けた正レンズ３１、物体側に凸面を向けた正レンズ３２と像側に凹面を向けた負レンズ３３を接合した接合レンズ３４、正レンズ３５より構成している。実施例３乃至５では実施例１，２に比べて接合レンズ３４の像側に、正レンズ３５を配置して構成している。
【手続補正９】
【補正対象書類名】明細書
【補正対象項目名】００５６
【補正方法】変更
【補正の内容】
【００５６】
このように構成することで、第３レンズ群Ｌ３の正の屈折力を２つの正レンズで分担し、第３レンズ群Ｌ３で発生する諸収差、特にズーム全域に渡り球面収差、コマ収差、軸上色収差等を良好に補正している。第４レンズ群Ｌ４は物体側より像側へ順に配置された、正レンズ４１と負レンズ４２を接合した接合レンズ４３で構成している。接合レンズ４３で構成することで、第４レンズ群Ｌ４の屈折力を強めた場合でもズーム全域にて倍率色収差を良好に補正するのを容易にしている。